(57)【要約】  血圧計（１０）は、腕帯部（１２）と血圧計本体（１４）とを備える。コネクタ部材（２０）は、互いに外径が同一の第１及び第２接続筒部（２８ａ、２８ｂ）と、第１及び第２接続筒部（２８ａ、２８ｂ）を支持する支持部（３０）とを有する。血圧計本体（１４）は、コネクタ装着部（４２）を有する。コネクタ部材（２０）及びコネクタ装着部（４２）の一方に、コネクタ部材（２０）が誤った向きでコネクタ装着部（４２）に接続されることを防止するための少なくとも１つの突起（６４）が設けられている。
2018168413.tif 000002
【特許請求の範囲】
【請求項１】
第１空気袋（２４ａ）と、第２空気袋（２４ｂ）と、前記第１空気袋（２４ａ）に接続された第１エアチューブ（１８ａ）と、前記第２空気袋（２４ｂ）に接続された第２エアチューブ（１８ｂ）と、前記第１エアチューブ（１８ａ）及び前記第２エアチューブ（１８ｂ）に接続されたコネクタ部材（２０）とを有する腕帯部（１２）と、
前記コネクタ部材（２０）が着脱可能なコネクタ装着部（４２）を有する血圧計本体（１４）と、を備えた血圧計（１０）であって、
前記コネクタ部材（２０）は、互いに外径が同一の第１接続筒部（２８ａ）及び第２接続筒部（２８ｂ）と、前記第１接続筒部（２８ａ）及び前記第２接続筒部（２８ｂ）を支持する支持部（３０）とを有し、
前記コネクタ装着部（４２）は、前記第１接続筒部（２８ａ）が挿入可能な第１接続穴部（５６ａ）と、前記第２接続筒部（２８ｂ）が挿入可能な第２接続穴部（５６ｂ）とを有し、
前記コネクタ部材（２０）及び前記コネクタ装着部（４２）の一方に、前記コネクタ部材（２０）が誤った向きで前記コネクタ装着部（４２）に接続されることを防止するための少なくとも１つの突起（６４）が設けられている、
ことを特徴とする血圧計（１０）。
【請求項２】
請求項１記載の血圧計（１０）において、
前記少なくとも１つの突起（６４）は、前記コネクタ装着部（４２）に設けられている、
ことを特徴とする血圧計（１０）。
【請求項３】
請求項１又は２記載の血圧計（１０）において、
前記少なくとも１つの突起（６４）は、前記血圧計本体（１４）の幅方向に間隔を置いて配置された複数の突起（６４）を有する、
ことを特徴とする血圧計（１０）。
【請求項４】
請求項１〜３のいずれか１項に記載の血圧計（１０）において、
前記コネクタ部材（２０）及び前記コネクタ装着部（４２）の他方に、前記少なくとも１つの突起（６４）が挿入可能な溝（３８）が設けられている、
ことを特徴とする血圧計（１０）。
【請求項５】
請求項４記載の血圧計（１０）において、
前記コネクタ部材（２０）は、前記第１接続筒部（２８ａ）及び前記第２接続筒部（２８ｂ）が突出した支持基部（３２）と、前記支持基部（３２）から延出するとともに前記コネクタ装着部（４２）と係合可能な係合アーム（３４）とを有し、
前記溝（３８）は、前記支持基部（３２）に設けられている、
ことを特徴とする血圧計（１０）。
【請求項６】
請求項１記載の血圧計（１０）において、
前記コネクタ部材（２０）は、前記第１接続筒部（２８ａ）及び前記第２接続筒部（２８ｂ）が突出した支持基部（３２）と、前記支持基部（３２）から延出するとともに前記コネクタ装着部（４２）と係合可能な係合アーム（３４）と、前記支持基部（３２）と前記係合アーム（３４）とに接続された補強リブ（３６）とを有する、
ことを特徴とする血圧計（１０）。
【請求項７】
請求項１記載の血圧計（１０）において、
前記支持部（３０）は、前記第１接続筒部（２８ａ）及び前記第２接続筒部（２８ｂ）が突出した支持基部（３２）と、前記支持基部（３２）から延出するとともに前記コネクタ装着部（４２）と係合可能な一対の係合アーム（３４）とを有し、
前記一対の係合アーム（３４）は、前記第１接続筒部（２８ａ）及び前記第２接続筒部（２８ｂ）の離間方向に互いに離間し且つ対向している、
ことを特徴とする血圧計（１０）。
【請求項８】
請求項１記載の血圧計（１０）において、
前記支持部（３０）は、前記第１接続筒部（２８ａ）及び前記第２接続筒部（２８ｂ）が突出した支持基部（３２）と、前記支持基部（３２）から延出するとともに前記コネクタ装着部（４２）と係合可能な一対の係合アーム（３４）とを有し、
前記一対の係合アーム（３４）は、前記支持基部（３２）からの前記第１接続筒部（２８ａ）及び前記第２接続筒部（２８ｂ）の突出方向に、前記第１接続筒部（２８ａ）及び前記第２接続筒部（２８ｂ）に対して突出している、
ことを特徴とする血圧計（１０）。
【請求項９】
請求項１記載の血圧計（１０）において、
前記支持部（３０）は、前記第１接続筒部（２８ａ）及び前記第２接続筒部（２８ｂ）が突出した支持基部（３２）と、前記支持基部（３２）から延出するとともに前記コネクタ装着部（４２）と係合可能な一対の係合アーム（３４）とを有し、全体としてＵ字状に形成されており、
前記コネクタ装着部（４２）は、前記血圧計本体（１４）のハウジング（４４）の外表面に対して凹むとともに前記支持部（３０）が装着可能な装着溝（５４）を有し、
前記装着溝（５４）は、前記ハウジング（４４）の先端部で前記ハウジング（４４）の幅方向に延在するとともに前記支持基部（３２）を受容可能な先端溝部（５４ａ）と、前記先端溝部（５４ａ）の両端から前記ハウジング（４４）の基端方向へと延在するとともに前記一対の係合アーム（３４）を受容可能な一対のサイド溝部（５４ｂ）と、を有するＵ字状の溝である、
ことを特徴とする血圧計（１０）。
【請求項１０】
第１接続穴部（５６ａ）及び第２接続穴部（５６ｂ）が設けられたコネクタ装着部（４２）を有する血圧計本体（１４）に着脱可能な腕帯部（１２）であって、
第１空気袋（２４ａ）と、
第２空気袋（２４ｂ）と、
前記第１空気袋（２４ａ）に接続された第１エアチューブ（１８ａ）と、
前記第２空気袋（２４ｂ）に接続された第２エアチューブ（１８ｂ）と、
前記第１エアチューブ（１８ａ）及び前記第２エアチューブ（１８ｂ）に接続され、前記コネクタ装着部（４２）に着脱可能なコネクタ部材（２０）と、を備え、
前記コネクタ部材（２０）は、互いに外径が同一の第１接続筒部（２８ａ）及び第２接続筒部（２８ｂ）と、前記第１接続筒部（２８ａ）及び前記第２接続筒部（２８ｂ）を共通に支持する支持部（３０）とを有し、
前記第１接続筒部（２８ａ）は、前記第１接続穴部（５６ａ）に挿入可能であり、
前記第２接続筒部（２８ｂ）は、前記第２接続穴部（５６ｂ）に挿入可能であり、
前記コネクタ部材（２０）に、前記コネクタ部材（２０）が誤った向きで前記コネクタ装着部（４２）に接続されることを防止するための突起（６４）又は溝（３８）が設けられている、
ことを特徴とする腕帯部（１２）。
【請求項１１】
腕帯部（１２）の第１空気袋（２４ａ）及び第２空気袋（２４ｂ）にそれぞれ接続された第１エアチューブ（１８ａ）及び第２エアチューブ（１８ｂ）に固定されたコネクタ部材（２０）が着脱可能なコネクタ装着部（４２）を有する血圧計本体（１４）であって、
前記コネクタ装着部（４２）は、
前記コネクタ部材（２０）に設けられた第１接続筒部（２８ａ）が挿入可能な第１接続穴部（５６ａ）と、
前記コネクタ部材（２０）に設けられた第２接続筒部（２８ｂ）が挿入可能な第２接続穴部（５６ｂ）と、
前記コネクタ部材（２０）が誤った向きで前記コネクタ装着部（４２）に装着されることを防止するための突起（６４）又は溝（３８）と、を有する、
ことを特徴とする血圧計本体（１４）。
【発明の詳細な説明】
【技術分野】
【０００１】
本発明は、血圧計、腕帯部及び血圧計本体に関する。
【背景技術】
【０００２】
従来、動脈を阻血するための阻血用空気袋と、動脈拍動（脈波）を検出するための検出用空気袋とが設けられた腕帯部（いわゆるカフ）と、この腕帯部に接続され、阻血用空気袋内の空気の圧力変動と、検出用空気袋内の空気の圧力変動とに基づいて、血圧を測定する血圧計本体とを備えた、いわゆるダブルカフ型の血圧計は公知である（例えば、特開２０１３−１９２８７８号公報）。腕帯部は、上記２つの空気袋にそれぞれ接続された２本のエアチューブを有する。２本のエアチューブの各端部には、血圧計本体に着脱可能なコネクタが設けられている。
【発明の概要】
【０００３】
ところで、ＩＳＯでは、誤接続防止の目的でコネクタ寸法規格が新規に制定された（ＩＳＯ８０３６９−５）。ＩＳＯの新規格では、血圧計における腕帯部のエアチューブと血圧計本体とを接続するコネクタについて、腕帯部側がオスコネクタとされ、血圧計本体側がメスコネクタとされることが規定されるとともに、オスコネクタの外径及びメスコネクタの内径がそれぞれ規定されている。
【０００４】
ダブルカフ型の血圧計はエアチューブを２本有するため、ＩＳＯの新規格を適用した場合、腕帯部の２本のエアチューブ（２つのオスコネクタ）を、血圧計本体の２つのメスコネクタに接続する必要がある。この場合、接続が簡便であること、及び誤接続を防止できることが望ましい。
【０００５】
本発明はこのような課題を考慮してなされたものであり、腕帯部に設けられた同一外径の２つのオスコネクタを血圧計本体に設けられた２つのメスコネクタに簡便且つ正確に接続することが可能な血圧計、腕帯部及び血圧計本体を提供することを目的とする。
【０００６】
上記の目的を達成するため、本発明は、第１空気袋と、第２空気袋と、前記第１空気袋に接続された第１エアチューブと、前記第２空気袋に接続された第２エアチューブと、前記第１エアチューブ及び前記第２エアチューブに接続されたコネクタ部材とを有する腕帯部と、前記コネクタ部材が着脱可能なコネクタ装着部を有する血圧計本体と、を備えた血圧計であって、前記コネクタ部材は、互いに外径が同一の第１接続筒部及び第２接続筒部と、前記第１接続筒部及び前記第２接続筒部を支持する支持部とを有し、前記コネクタ装着部は、前記第１接続筒部が挿入可能な第１接続穴部と、前記第２接続筒部が挿入可能な第２接続穴部とを有し、前記コネクタ部材及び前記コネクタ装着部の一方に、前記コネクタ部材が誤った向きで前記コネクタ装着部に接続されることを防止するための少なくとも１つの突起が設けられていることを特徴とする。
【０００７】
上記の構成を備えた血圧計によれば、コネクタ部材が第１接続筒部及び第２接続筒部を共通に支持する支持部を有するため、ユーザは、支持部を把持することで、コネクタ部材をコネクタ装着部に簡便に接続することができる。また、ユーザがコネクタ部材を誤った向きでコネクタ装着部に接続しようとした場合には、コネクタ部材又はコネクタ装着部に設けられた突起によりコネクタ部材の接続が阻止される。この構成により、コネクタ部材の誤接続を防止することができる。
【０００８】
前記少なくとも１つの突起は、前記コネクタ装着部に設けられていることが好ましい。
【０００９】
この構成により、突起がコネクタ部材のコネクタ装着部への移動を阻止するため、誤接続を良好に防止することができる。
【００１０】
前記少なくとも１つの突起は、前記血圧計本体の幅方向に間隔を置いて配置された複数の突起を有することが好ましい。
【００１１】
この構成により、誤った向きでコネクタ部材が接続されようとした際の突起にかかる負担が軽減されるため、突起の破損を防止することができる。
【００１２】
前記コネクタ部材及び前記コネクタ装着部の他方に、前記少なくとも１つの突起が挿入可能な溝が設けられていることが好ましい。
【００１３】
この構成により、コネクタ部材及びコネクタ装着部のうち、誤接続防止用の突起が設けられていない方の剛性を確保しやすい。
【００１４】
前記コネクタ部材は、前記第１接続筒部及び前記第２接続筒部が突出した支持基部と、前記支持基部から延出するとともに前記コネクタ装着部と係合可能な係合アームとを有し、前記溝は、前記支持基部に設けられていることが好ましい。
【００１５】
この構成により、支持部に溝が設けられる場合でも、係合アームではなく支持基部に溝が設けられているため、係合アームの剛性を確保しやすく、所望の接続強度を得やすい。
【００１６】
前記コネクタ部材は、前記第１接続筒部及び前記第２接続筒部が突出した支持基部と、前記支持基部から延出するとともに前記コネクタ装着部と係合可能な係合アームと、前記支持基部と前記係合アームとに接続された補強リブとを有することが好ましい。
【００１７】
この構成により、係合アームの剛性の向上が図られるため、所望の接続強度を得やすい。
【００１８】
前記支持部は、前記第１接続筒部及び前記第２接続筒部が突出した支持基部と、前記支持基部から延出するとともに前記コネクタ装着部と係合可能な一対の係合アームとを有することが好ましく、前記一対の係合アームは、前記第１接続筒部及び前記第２接続筒部の離間方向に互いに離間し且つ対向していることが好ましい。
【００１９】
この構成により、コネクタ部材をコンパクトに構成することができる。また、コネクタ部材をコネクタ装着部に接続するために、ユーザがコネクタ部材を把持した際に、ユーザの指が第１接続筒部及び第２接続筒部に触れにくい。
【００２０】
前記支持部は、前記第１接続筒部及び前記第２接続筒部が突出した支持基部と、前記支持基部から延出するとともに前記コネクタ装着部と係合可能な一対の係合アームとを有することが好ましく、前記一対の係合アームは、前記支持基部からの前記第１接続筒部及び前記第２接続筒部の突出方向に、前記第１接続筒部及び前記第２接続筒部に対して突出していることが好ましい。
【００２１】
この構成により、一対の係合アームが適度に長くなることから、コネクタ部材をコネクタ装着部に対して着脱するためにユーザがコネクタ部材を把持する際に、一対の係合アームを把持しやすい。
【００２２】
前記支持部は、前記第１接続筒部及び前記第２接続筒部が突出した支持基部と、前記支持基部から延出するとともに前記コネクタ装着部と係合可能な一対の係合アームとを有し、全体としてＵ字状に形成されていることが好ましく、前記コネクタ装着部は、前記血圧計本体のハウジングの外表面に対して凹むとともに前記支持部が装着可能な装着溝を有することが好ましく、前記装着溝は、前記ハウジングの先端部で前記ハウジングの幅方向に延在するとともに前記支持基部を受容可能な先端溝部と、前記先端溝部の両端から前記ハウジングの基端方向へと延在するとともに前記一対の係合アームを受容可能な一対のサイド溝部と、を有するＵ字状の溝であることが好ましい。
【００２３】
この構成により、コネクタ部材をコネクタ装着部に接続した状態では、コネクタ部材は装着溝に挿入されているため、コネクタ部材の外面とハウジングの外面との段差を少なくし、意図せずにコネクタ部材がコネクタ装着部から外れることを抑制することができる。
【００２４】
また、本発明は、第１接続穴部及び第２接続穴部が設けられたコネクタ装着部を有する血圧計本体に着脱可能な腕帯部であって、第１空気袋と、第２空気袋と、前記第１空気袋に接続された第１エアチューブと、前記第２空気袋に接続された第２エアチューブと、前記第１エアチューブ及び前記第２エアチューブに接続され、前記コネクタ装着部に着脱可能なコネクタ部材と、を備え、前記コネクタ部材は、互いに外径が同一の第１接続筒部及び第２接続筒部と、前記第１接続筒部及び前記第２接続筒部を共通に支持する支持部とを有し、前記第１接続筒部は、前記第１接続穴部に挿入可能であり、前記第２接続筒部は、前記第２接続穴部に挿入可能であり、前記コネクタ部材に、前記コネクタ部材が誤った向きで前記コネクタ装着部に接続されることを防止するための突起又は溝が設けられていることを特徴とする。
【００２５】
また、本発明は、腕帯部の第１空気袋及び第２空気袋にそれぞれ接続された第１エアチューブ及び第２エアチューブに固定されたコネクタ部材が着脱可能なコネクタ装着部を有する血圧計本体であって、前記コネクタ装着部は、前記コネクタ部材に設けられた第１接続筒部が挿入可能な第１接続穴部と、前記コネクタ部材に設けられた第２接続筒部が挿入可能な第２接続穴部と、前記コネクタ部材が誤った向きで前記コネクタ装着部に装着されることを防止するための突起又は溝と、を有することを特徴とする。
【００２６】
本発明の血圧計、腕帯部及び血圧計本体によれば、腕帯部に設けられた同一外径の２つのオスコネクタを血圧計本体に設けられた２つのメスコネクタに簡便且つ正確に接続することが可能となる。
【図面の簡単な説明】
【００２７】
【図１】本発明の実施形態に係る血圧計の全体概略図である。
【図２】血圧計の斜視図（非接続時）である。
【図３】血圧計の斜視図（接続時）である。
【図４】コネクタ部材の斜視図である。
【図５】血圧計本体の斜視図である。
【図６】血圧計本体の正面図である。
【発明を実施するための形態】
【００２８】
以下、本発明に係る血圧計、腕帯部及び血圧計本体について好適な実施形態を挙げ、添付の図面を参照しながら説明する。
【００２９】
図１に示す本実施形態に係る血圧計１０は、被測定者の腕に巻き付け可能に構成された腕帯本体１６を有する腕帯部１２と、腕帯部１２が着脱可能な血圧計本体１４とを備える。医療機関において、腕帯部１２は、被測定者の腕周りの寸法の大きさに応じて、適切なサイズのものを血圧計本体１４に接続できるように腕帯本体１６の長さが異なる複数のサイズバリエーションが用意され、必要に応じて血圧計本体１４から腕帯部１２が取り外され、適切なサイズの腕帯部１２が接続される。また、腕帯部１２は、消耗品であり、所定期間使用した後には廃棄される。その際、古い腕帯部１２が血圧計本体１４から取り外され、新しい腕帯部１２が血圧計本体１４に接続される。血圧計１０は、適切な腕帯部１２が血圧計本体１４に接続された状態で使用されることで、血圧計１０による測定結果の信頼性が高まる。
【００３０】
腕帯部１２は、帯状の腕帯本体１６と、腕帯本体１６に一端部が接続されたチューブ部１８と、チューブ部１８の他端部に接続されたコネクタ部材２０とを備える。腕帯本体１６は、長方形状のカフカバー２２と、カフカバー２２内に配置及び固定された阻血用空気袋２４ａ（第１空気袋）及び検出用空気袋２４ｂ（第２空気袋）とを有する。カフカバー２２は、外布２２ａと内布２２ｂとからなり、内布２２ｂの外周縁部と外布２２ａの外周縁部とが例えば縫製により互いに固定されることで袋状に形成されている。
【００３１】
阻血用空気袋２４ａ及び検出用空気袋２４ｂは、外布２２ａと内布２２ｂとの間に配置されている。阻血用空気袋２４ａは、被測定者の上腕を阻血するための空気袋である。阻血用空気袋２４ａは、血圧計本体１４から空気を供給することにより上腕の動脈を加圧して阻血する。
【００３２】
検出用空気袋２４ｂは、脈波を検出するための空気袋であり、収容できる空気容量が阻血用空気袋２４ａよりも小さい。検出用空気袋２４ｂは、カフカバー２２内で阻血用空気袋２４ａに重なる位置に配置されている。脈波は、阻血用空気袋２４ａの内圧を最高血圧以上に上げて血管を一旦圧閉した後、内圧を徐々に下げて内圧が最高血圧以下になり、血管が開き始めると急激に大きくなり平均血圧付近で最大になる。その後圧力を下げると脈波の振幅は小さくなっていき、最低血圧以下になると振幅カーブに変曲点が現れる。検出用空気袋２４ｂは複数設けられてもよい。
【００３３】
チューブ部１８は、第１エアチューブ１８ａ及び第２エアチューブ１８ｂを有する。第１エアチューブ１８ａと第２エアチューブ１８ｂとは並列して設けられている。第１エアチューブ１８ａは、一端部が阻血用空気袋２４ａに接続されている。第２エアチューブ１８ｂは、一端部が検出用空気袋２４ｂに接続されている。第１エアチューブ１８ａ及び第２エアチューブ１８ｂは、例えばエラストマ材等により構成されたフレキシブルなチューブである。
【００３４】
第１エアチューブ１８ａは、阻血用空気袋２４ａに対する空気の給排気に用いられる。第２エアチューブ１８ｂは、検出用空気袋２４ｂに対する空気の給排気に用いられるチューブであり、第１エアチューブ１８ａよりも小径に形成されている。第１エアチューブ１８ａ及び第２エアチューブ１８ｂの各他端部は、コネクタ部材２０に接続（固定）されている。チューブ部１８とコネクタ部材２０との接続強度は、コネクタ部材２０と後述するコネクタ装着部４２との接続強度よりも大きい。これにより、コネクタ部材２０がコネクタ装着部４２に接続された状態でチューブ部１８を誤って無理矢理引っ張った場合でも、チューブ部１８がコネクタ部材２０から分離することが防止される。
【００３５】
図１及び図２に示すように、腕帯部１２のコネクタ部材２０は、互いに外径が同一の第１接続筒部２８ａ及び第２接続筒部２８ｂと、第１接続筒部２８ａ及び第２接続筒部２８ｂを共通に支持する支持部３０とを有する。第１接続筒部２８ａは、オスコネクタを構成しており、血圧計本体１４に設けられた後述するメスコネクタを構成する第１接続穴部５６ａ（図６参照）に挿入（嵌合）可能である。第１接続筒部２８ａの突出端には開口２８ａ１が設けられている。第２接続筒部２８ｂは、オスコネクタを構成しており、血圧計本体１４に設けられた後述するメスコネクタを構成する第２接続穴部５６ｂ（図６参照）に挿入（嵌合）可能である。第２接続筒部２８ｂの突出端には開口２８ｂ１が設けられている。
【００３６】
第１接続筒部２８ａと第２接続筒部２８ｂは、直線状に構成されるとともに、互いに平行に並列配置されている。第１接続筒部２８ａと第２接続筒部２８ｂとは、左右方向に互いに間隔を置いて配置されている。第１接続筒部２８ａに第１エアチューブ１８ａの他端部が接続されている。第２接続筒部２８ｂに第２エアチューブ１８ｂの他端部が接続されている。第１接続筒部２８ａと第２接続筒部２８ｂの長さは同じである。第１接続筒部２８ａと第２接続筒部２８ｂの内径及び外径は同じである。第１接続筒部２８ａ及び第２接続筒部２８ｂは、硬質樹脂により構成されている。
【００３７】
コネクタ部材２０の支持部３０は、第１接続筒部２８ａ及び第２接続筒部２８ｂが突出した支持基部３２と、支持基部３２から延出するとともに後述するコネクタ装着部４２と係合可能な一対の係合アーム３４と、を有し、支持部３０が全体としてＵ字状に形成されている。支持基部３２は、第１接続筒部２８ａ及び第２接続筒部２８ｂを保持している。第１接続筒部２８ａ及び第２接続筒部２８ｂの支持基部３２からの突出長さは、互いに同じである。支持部３０は、第１接続筒部２８ａ及び第２接続筒部２８ｂとは別部品として構成されている。なお、支持部３０、第１接続筒部２８ａ及び第２接続筒部２８ｂは、射出成形等により一体成形された１つの部品であってもよい。
【００３８】
図４に示すように、支持基部３２には、血圧計本体１４のコネクタ装着部４２に設けられた後述する突起６４（図５参照）が挿入可能な溝３８が設けられている。溝３８は、第１接続筒部２８ａ及び第２接続筒部２８ｂの延在方向（コネクタ部材２０の接続方向）に沿って延在している。本実施形態では、複数の溝３８が、第１接続筒部２８ａと第２接続筒部２８ｂとの離間方向に間隔を置いて配置されている。
【００３９】
図２及び図４に示すように、支持基部３２は、第１接続筒部２８ａと第２接続筒部２８ｂとの離間方向において互いに反対側の端面３２ａ、３２ｂ（上面及び下面）を有する。図４に示すように、複数の溝３８は、一方の端面３２ｂ（下面）に設けられている。本実施形態では、溝３８は２つである。支持基部３２の左右両端部（第１接続筒部２８ａと第２接続筒部２８ｂとの離間方向の両端部）に２つの溝３８が設けられている。
【００４０】
コネクタ部材２０の一対の係合アーム３４は、弾性変形可能に構成されている。具体的に、一対の係合アーム３４は、支持基部３２の左右両端部から左右方向にそれぞれ延出しつつ湾曲し、第１接続筒部２８ａ及び第２接続筒部２８ｂの突出方向へと延出している。従って、一対の係合アーム３４は左右方向に弾性変形可能である。一対の係合アーム３４は、支持基部３２からの第１接続筒部２８ａ及び第２接続筒部２８ｂの突出方向に、第１接続筒部２８ａ及び第２接続筒部２８ｂに対して突出している。一対の係合アーム３４は、第１接続筒部２８ａと第２接続筒部２８ｂとの離間方向に沿って離間している。一対の係合アーム３４の間に、第１接続筒部２８ａ及び第２接続筒部２８ｂが配置されている。各係合アーム３４の先端部には、左右外側に突出した係合ツメ３４ａが設けられている。
【００４１】
支持部３０は、さらに、支持基部３２と一対の係合アーム３４とに接続された一対の補強リブ３６とを有する。一方の補強リブ３６は、支持基部３２の左右方向の一端面３２ｃと、一方の係合アーム３４の根元側とに接続されている。他方の補強リブ３６は、支持基部３２の左右方向の他端面３２ｄと、他方の係合アーム３４の根元側とに接続されている。支持基部３２、一対の係合アーム３４及び一対の補強リブ３６は、射出成形等により一体成形されている。
【００４２】
支持部３０には、保護チューブ４０が固定されている。保護チューブ４０は、第１エアチューブ１８ａ及び第２エアチューブ１８ｂの他端部（コネクタ部材２０側の端部）を覆っている。保護チューブ４０が設けられることで、第１エアチューブ１８ａ及び第２エアチューブ１８ｂの各他端部にねじれ、折れ曲がり、引っ張り、部品接触等による大きな衝撃や荷重がかかることを防止し、当該各他端部の損傷（破れ等）を防止することができる。
【００４３】
図２に示すように、血圧計本体１４は、コネクタ部材２０が着脱可能なコネクタ装着部４２を備える。具体的に、血圧計本体１４は、硬質なハウジング４４と、ハウジング４４の上面に設けられた表示部４６と、ハウジング４４に設けられた操作スイッチ部４８（電源スイッチ等）と、ハウジング４４に接続された送気球５０とを備える。送気球５０は、医療従事者が加圧操作することで内部の空気を送ることができるように、伸縮性を有する材料（ゴム材、エラストマー材等）で構成されている。
【００４４】
詳細は図示しないが、ハウジング４４内には、圧力センサ、制御部（プロセッサ）、メモリ、バルブ、スピーカ、電池等が収納されている。血圧計１０の使用時には、上記圧力センサにより、阻血用空気袋２４ａ及び第１エアチューブ１８ａを介して圧力の変動が検出され、検出用空気袋２４ｂ及び第２エアチューブ１８ｂを介して脈波が検出される。コネクタ装着部４２は、ハウジング４４の先端部に設けられている。従って血圧計１０は、第１エアチューブ１８ａと第２エアチューブ１８ｂを誤って接続した場合は、測定値を得ることができない。
【００４５】
図５及び図６に示すように、血圧計本体１４のコネクタ装着部４２は、ハウジング４４の外表面４４ａに対して凹むとともに支持部３０が装着可能な装着溝５４と、第１接続筒部２８ａが挿入可能な第１接続穴部５６ａと、第２接続筒部２８ｂが挿入可能な第２接続穴部５６ｂとを有する。第１接続筒部２８ａは第１接続穴部５６ａに接続される必要があり、第２接続筒部２８ｂは第２接続穴部５６ｂに接続される必要がある。装着溝５４は、ハウジング４４の先端部でハウジング４４の幅方向（左右方向）に延在するとともに支持基部３２を受容可能な先端溝部５４ａと、先端溝部５４ａの両端からハウジング４４の基端方向へと延在するとともにコネクタ部材２０の一対の係合アーム３４（図２）を受容可能な一対のサイド溝部５４ｂと、を有するＵ字状の溝である。
【００４６】
サイド溝部５４ｂの基端部には、コネクタ部材２０の一対の係合ツメ３４ａが挿入可能な一対のポケット６０が設けられている。ハウジング４４の内面には、ポケット６０内に突出する一対の被係合凸部６２が設けられている。一対の被係合凸部６２に、コネクタ部材２０の一対の係合ツメ３４ａ（図２）が係合可能である。
【００４７】
第１接続穴部５６ａ及び第２接続穴部５６ｂの各々は、メスコネクタを構成する穴部であり、装着溝５４の底部に設けられている。具体的に、第１接続穴部５６ａ及び第２接続穴部５６ｂは、先端溝部５４ａの底部にて開口している。第１接続穴部５６ａと第２接続穴部５６ｂとは、左右方向に間隔を置いて互いに平行に設けられている。第１接続穴部５６ａの内径と第２接続穴部５６ｂの内径は、互いに同じである。
【００４８】
コネクタ装着部４２には、コネクタ部材２０が誤った向きでコネクタ装着部４２に装着されること（第１接続穴部５６ａに第２接続筒部２８ｂが挿入され、第２接続穴部５６ｂに第１接続筒部２８ａが挿入されること）を防止するための突起６４が設けられている。突起６４は、装着溝５４（先端溝部５４ａ）の下部に設けられている。突起６４は、第１接続穴部５６ａ及び第２接続穴部５６ｂよりも下方に配置されている。突起６４は、装着溝５４の底部から先端方向に突出するとともに、装着溝５４の下壁５４ｃから上方に突出している。突起６４は、コネクタ部材２０の装着方向（第１接続穴部５６ａ及び第２接続穴部５６ｂの軸方向）に沿って延在している。本実施形態では、複数の突起６４が設けられている。複数の突起６４は、血圧計本体１４の幅方向に間隔を置いて配置されている。突起６４は１つだけ設けられてもよい。
【００４９】
上述した溝３８及び突起６４は、１つずつ設けられてもよい。本実施形態では、突起６４がコネクタ装着部４２に設けられ、溝３８がコネクタ部材２０に設けられているが、突起６４と溝３８の配置を逆にしてもよい。すなわち、突起６４がコネクタ部材２０に設けられ、溝３８がコネクタ装着部４２に設けられてもよい。
【００５０】
上記のように構成された血圧計１０の使用において、図３に示すように、腕帯部１２のコネクタ部材２０は、血圧計本体１４のコネクタ装着部４２に接続（装着）される。この際、コネクタ部材２０の一対の係合アーム３４がユーザによって把持される。コネクタ装着部４２へのコネクタ部材２０の接続に伴い、オスコネクタを構成する第１接続筒部２８ａ及び第２接続筒部２８ｂ（図２）が、メスコネクタを構成する第１接続穴部５６ａ及び第２接続穴部５６ｂ（図５）にそれぞれ挿入（嵌合）される。また、この接続に伴い、コネクタ部材２０のＵ字状の支持部３０が、Ｕ字状の装着溝５４に挿入される。この際、一対の係合アーム３４に設けられた係合ツメ３４ａが、ポケット６０（図５）に挿入されつつ、一対の係合アーム３４が内側に弾性変形する。そして、一対の係合ツメ３４ａが被係合凸部６２（図６）を乗り越えると、当該被係合凸部６２に係合する。これにより、コネクタ部材２０のコネクタ装着部４２への接続が完了する。
【００５１】
コネクタ部材２０をコネクタ装着部４２から取り外すには、一対の係合アーム３４がユーザにより内側に向かって押圧される。これにより一対の係合アーム３４は、内側に弾性変形する。そして、この状態で、コネクタ部材２０が引っ張られることで、コネクタ部材２０がコネクタ装着部４２から離脱する。
【００５２】
この場合、本実施形態に係る血圧計１０は、以下の効果を奏する。
【００５３】
上記の構成を備えた血圧計１０によれば、コネクタ部材２０が第１接続筒部２８ａ及び第２接続筒部２８ｂを共通に支持する支持部３０を有するため、医療従事者等のユーザは、支持部３０を把持することで、コネクタ部材２０をコネクタ装着部４２に簡便に接続することができる。
【００５４】
また、ユーザがコネクタ部材２０を誤った向き（図２において、血圧計本体１４に対してコネクタ部材２０の上下を逆にした向き）でコネクタ装着部４２に接続しようとした場合には、突起６４によりコネクタ部材２０の接続が阻止される。これにより誤った向きでの接続を防止することができる。すなわち、コネクタ部材２０を誤った向きでコネクタ装着部４２へと近づけた際、突起６４が相手部材（本実施形態では、コネクタ部材２０の支持基部３２）にぶつかるため、コネクタ部材２０をそれ以上コネクタ装着部４２へと挿入することが阻止される。従って、ユーザは、コネクタ部材２０を誤った向きで接続しようとしたことに即座に気が付くことができ、正しい向きでの接続を迅速にやり直すことができる。
【００５５】
突起６４は、コネクタ装着部４２に設けられている。この構成により、突起６４がコネクタ部材２０のコネクタ装着部４２への移動を阻止するため、誤接続を良好に防止することができる。
【００５６】
図５に示すように、複数の突起６４が、血圧計本体１４の幅方向に間隔を置いて配置されている。この構成により、誤った向きでコネクタ部材２０が接続されようとした際の突起６４にかかる負担が分散されるため、突起６４の破損を防止することができる。
【００５７】
血圧計１０では、突起６４が挿入可能な溝３８（図４）が設けられている。この構成により、コネクタ部材２０及びコネクタ装着部４２のうち、誤接続防止用の突起６４が設けられていない方（本実施形態では、コネクタ部材２０）の剛性を確保しやすい。
【００５８】
図２に示すように、支持部３０は、第１接続筒部２８ａ及び第２接続筒部２８ｂが突出した支持基部３２と、支持基部３２から延出するとともにコネクタ装着部４２と係合可能な係合アーム３４とを有する。溝３８（図４）は、支持基部３２に設けられている。この構成により、支持部３０に溝３８が設けられる場合でも、係合アーム３４ではなく支持基部３２に溝３８が設けられているため、係合アーム３４の剛性を確保しやすく、所望の接続強度を得やすい。
【００５９】
支持部３０は、支持基部３２と係合アーム３４とに接続された補強リブ３６とを有する。この構成により、係合アーム３４の剛性の向上が図られるため、所望の接続強度を得やすい。
【００６０】
一対の係合アーム３４は、第１接続筒部２８ａ及び第２接続筒部２８ｂの離間方向に互いに離間し且つ対向している。この構成により、コネクタ部材２０をコンパクトに構成することができる。また、コネクタ部材２０をコネクタ装着部４２に接続するために、ユーザがコネクタ部材２０を把持した際に、ユーザの指が第１接続筒部２８ａ及び第２接続筒部２８ｂに触れにくい。
【００６１】
一対の係合アーム３４は、支持基部３２からの第１接続筒部２８ａ及び第２接続筒部２８ｂの突出と同方向に、第１接続筒部２８ａ及び第２接続筒部２８ｂを囲んで突出している。この構成により、一対の係合アーム３４が適度に長くなることから、コネクタ部材２０をコネクタ装着部４２に対して着脱するためにユーザがコネクタ部材２０を把持する際に、一対の係合アーム３４を把持しやすい。
【００６２】
図２に示すように、支持部３０は、支持基部３２と一対の係合アーム３４とを有するとともに、全体としてＵ字状に形成されている。コネクタ装着部４２は、血圧計本体１４のハウジング４４の外表面４４ａに対して凹むとともに支持部３０が装着可能な装着溝５４を有する。そして、装着溝５４は、ハウジング４４の先端部でハウジング４４の幅方向に延在する先端溝部５４ａと、先端溝部５４ａの両端からハウジング４４の基端方向へと延在する一対のサイド溝部５４ｂと、を有するＵ字状の溝である。この構成により、図３に示すように、コネクタ部材２０をコネクタ装着部４２に接続した状態では、コネクタ部材２０は装着溝５４に挿入されているため、コネクタ部材２０の外面とハウジング４４の外面との段差を少なくし、意図せずにコネクタ部材２０がコネクタ装着部４２から外れることを抑制することができる。
【００６３】
本発明は上述した実施形態に限定されるものではなく、本発明の要旨を逸脱しない範囲において、種々の改変が可能である。
【図１】
2018168413.tif 000003
【図２】
2018168413.tif 000004
【図３】
2018168413.tif 000005
【図４】
2018168413.tif 000006
【図５】
2018168413.tif 000007
【図６】
2018168413.tif 000008
【国際調査報告】
2018168413.tif 000009
2018168413.tif 000010
2018168413.tif 000011